(57)【要約】【課題】  ブロックへのワイヤ装着に当たり人手作業が不要になるとともに、ブロック形状が特定されることがなく、種々の形状のブロックに対し広範に適用でき、しかもブロック形状の如何に拘わらず安定して吊り上げることができるようにする。【解決手段】  下端に向かって放射状に拡がる弾性を有する少なくとも３本の誘導アーム７と、これら誘導アーム７を貫通させる締め付けリング１０とを吊り下げ、締め付けリング１０を移動させて誘導アーム７をすぼませることにより、誘導アーム７の下端部からＵ状に垂らした少なくとも２本の掛け吊りワイヤ８をブロックＢ１に掛けてから、誘導アーム７と共にブロックＢ１を吊り上げる。【選択図】  図５
2007070083.tif 000002
【特許請求の範囲】
【請求項１】
下端に向かって放射状に拡がる弾性を有する少なくとも３本の誘導アームと、これら誘導アームを貫通させる締め付けリングとを吊り下げ、締め付けリングを移動させて誘導アームをすぼませることにより、誘導アームの下端部からＵ状に垂らした少なくとも２本の掛け吊りワイヤをブロックに掛けてから、誘導アームと共にブロックを吊り上げることを特徴とするブロックの吊り上げ方法。
【請求項２】
少なくとも３本の誘導アームの上端部を共通の吊りホルダに保持して、吊りホルダと共に誘導アームを吊り下げることを特徴とする請求項１に記載のブロックの吊り上げ方法。
【請求項３】
吊りホルダに固定された位置固定部材をブロックに当て、誘導アームの位置をブロックに対して固定した状態で、締め付けリングにて誘導アームをすぼませて掛け吊りワイヤをブロックに掛けることを特徴とする請求項２に記載のブロックの吊り上げ方法。
【請求項４】
掛け吊りワイヤをスプリングを介して誘導アームの下端部に支持することを特徴とする請求項１、２又は３に記載のブロックの吊り上げ方法。
【請求項５】
吊りワイヤで吊り下げられる吊りホルダと、この吊りホルダに垂設され、下端に向かって放射状に拡がる弾性を有する少なくとも３本の誘導アームと、これら誘導アームを貫通させてこれとは別に吊り下げられる締め付けリングと、誘導アームの下端部からＵ状に垂下された少なくとも２本の掛け吊りワイヤとを備え、締め付けリングを移動させて誘導アームをすぼませることにより、掛け吊りワイヤをブロックに掛けてから、誘導アームと共にブロックを吊り上げるようになっていることを特徴とするブロック吊り上げ装置。
【請求項６】
掛け吊りワイヤがスプリングを介して誘導アームの下端部に支持されていることを特徴とする請求項５に記載のブロック吊り上げ装置。
【請求項７】
吊りホルダに位置固定部材が垂設され、この位置固定部材をブロックに当て、誘導アームの位置をブロックに対して固定した状態で、締め付けリングにて誘導アームをすぼませて掛け吊りワイヤをブロックに掛けるようになっていることを特徴とする請求項５又は６に記載のブロック吊り上げ装置。
【請求項８】
掛け吊りワイヤが誘導アームに沿って配線されて吊りホルダに固定されていることを特徴とする請求項５、６又は７に記載のブロック吊り上げ装置。
【請求項９】
クレーンからの第１の吊りワイヤで吊り下げられた吊りフックに、吊りホルダが掛け吊りワイヤを介して懸垂されているとともに、クレーンからの第２の吊りワイヤで吊り下げらて前記第１の吊りワイヤに沿って移動する滑車に、締め付けリングが懸垂ワイヤにより懸垂されていることを特徴とする請求項５、６、７又は８に記載のブロック吊り上げ装置。
【請求項１０】
吊りホルダに保持する誘導アームの本数を変えられるように、誘導アームが吊りホルダに着脱可能に保持されていることを特徴とする請求項５、６、７、８又は９に記載のブロック吊り上げ装置。
【発明の詳細な説明】
【技術分野】
【０００１】
本発明は、消波ブロック等の大重量のブロックを、クレーン等を用いて吊り上げるブロックの吊り上げ方法及び装置に関する。
【背景技術】
【０００２】
従来、テトラホッド（登録商標）と言われている４脚の消波ブロックを吊り上げる場合、一般に、図１又は図２に示すような方法で行っていた。
【０００３】
図１の場合、両端に吊り輪１０１ａを形成した掛け吊りワイヤ１０１を、消波ブロック１０２の４脚のうちの一つの脚部１０２ａの先端を経由するように消波ブロック１０２にタスキ掛けに掛けて、両端の吊り輪１０１ａを別の一つの脚部１０２ｂの周面に重なるように位置させ、ここで両端の吊り輪１０１ａにストラップワイヤ１０３を通して、ストラップワイヤ１０３の両端の吊り輪１０３ａを吊り上げワイヤ１０４の下端のフック１０５に掛け、吊り上げワイヤ１０４で吊り上げる。
【０００４】
図２の場合、補助ワイヤ１０６も用いて、これを別の一つの脚部１０２ｂの周面に配し、その両端の吊り輪１０６ａと掛け吊りワイヤ１０１の両端の吊り輪１０１ａとを、２本のストラップワイヤ１０７の吊り金具１０７ａで結んで、２本のストラップワイヤ１０７を介して、図１の場合と同様に吊り上げワイヤにて吊り上げる。
【０００５】
しかし、このような従来方法では、消波ブロックへのワイヤ装着の作業性が悪いことから、その改善を目的として、特許文献１（特開平８−３３３０７８号公報）には、図３に示すような吊り装置が開示されている。
【０００６】
この吊り装置は、リング３、左右のヒンジプレート４、左右の起伏アーム５、当て板６、左右の吊りワイヤ７、平行吊り金具８、補助ワイヤー９とから構成されている。リング３は、消波ブロック２における上方に向け起立する脚部２Ｂに上方から水平状態で着脱自在に嵌合した場合、上方に向け起立する脚部のテーパーの３分の１位の位置に接触する寸法に構成され、このリング３における左右部分には、水平方向に左右の短軸３Ａ，３Ａが外方に向け突設されている。左右のヒンジプレート４は、側面略三角形状に構成されたプレート４Ａと、プレートの中央下方部分に開設された縦長穴４Ｂと、プレートの上端部分に開設された連結孔４Ｃとから構成され、左右のプレート４Ａの前方下方には左右の起伏アーム５の上端部分が短軸３Ａ，３Ａと平行なピン４Ｄで連結されている。当て板６は、消波ブロック２における他の脚部２Ｃのうちの１本の脚部２Ｃにおける前方端面２Ｃ１に当接する形状に構成されていると共に、この当て板６の左右部分がピン４Ｄと平行なピン６Ａで左右の起伏アーム５の下端部分に連結され、当て板６の前面上方には側面逆Ｊ状のフック６Ｂが突設され、左右の連結孔４Ｃには左右の吊りワイヤ７の下端が連結され、上端は平行吊り金具８に連結されている。補助ワイヤ９は、上端は平行吊り金具８の前面に連結されていると共に、下端には当て板のフック６Ｂに係脱する輪９Ａが形成されている。
【０００７】
しかし、これによると、図１の場合及び図２の場合に比べて、消波ブロックへのワイヤ装着の作業性は少しは改善されるものの、依然として多くの手作業を必要とするとともに、作業員がブロックに手が届くところまで行かなければならないことでは、変わりはない。また、消波ブロックの一つの脚部の先端にのみにワイヤをタスキ掛けする片持式であることでは、図１の場合及び図２の場合と同様で、重量のバランスが取りづらく、不安定で、落下の危険性がある。更に、テトラホッドと言われている４脚の消波ブロックのみを対象としており、他の形状の消波ブロック、例えば図４に示すような６脚の消波ブロックＢ１への適用は困難である。
【特許文献１】特開平８−３３３０７８号公報
【発明の開示】
【発明が解決しようとする課題】
【０００８】
本発明の課題は、ブロックへのワイヤ装着に当たり人手作業が不要になるとともに、ブロック形状が特定されることがなく、種々の形状のブロックに対し広範に適用でき、しかもブロック形状の如何に拘わらず安定して吊り上げることができるようにすることにある。
【課題を解決するための手段】
【０００９】
本発明の吊り上げ方法では、下端に向かって放射状に拡がる弾性を有する少なくとも３本の誘導アームと、これら誘導アームを貫通させる締め付けリングとを吊り下げ、締め付けリングを移動させて誘導アームをすぼませることにより、誘導アームの下端部からＵ状に垂らした少なくとも一対の掛け吊りワイヤをブロックに掛けてから、誘導アームと共にブロックを吊り上げる。
【００１０】
その好ましい形態は次のとおりである。
少なくとも３本の誘導アームの上端部を共通の吊りホルダに保持して、吊りホルダと共に誘導アームを吊り下げる。
【００１１】
吊りホルダに固定された位置固定部材をブロックに当て、誘導アームの位置をブロックに対して固定した状態で、締め付けリングにて誘導アームをすぼませて掛け吊りワイヤをブロックに掛ける。
掛け吊りワイヤをスプリングを介して誘導アームの下端部に支持する。
【００１２】
本発明による吊り下げ装置は、吊りワイヤで吊り下げられる吊りホルダと、この吊りホルダに垂設され、下端に向かって放射状に拡がる弾性を有する少なくとも３本の誘導アームと、これら誘導アームを貫通させてこれとは別に吊り下げられる締め付けリングと、誘導アームの下端部からＵ状に垂下された少なくとも一対の掛け吊りワイヤとを備え、締め付けリングを移動させて誘導アームをすぼませることにより、掛け吊りワイヤをブロックに掛けてから、誘導アームと共にブロックを吊り上げるようになっている。
【００１３】
その好ましい形態は次のとおりである。
掛け吊りワイヤがスプリングを介して誘導アームの下端部に支持されている。
吊りホルダに位置固定部材が垂設され、この位置固定部材をブロックに当て、誘導アームの位置をブロックに対して固定した状態で、締め付けリングにて誘導アームをすぼませて掛け吊りワイヤをブロックに掛けるようになっている。
掛け吊りワイヤが誘導アームに沿って配線されて吊りホルダに固定されている。
【００１４】
クレーンからの吊りワイヤで吊り下げられたメインフックに、掛け吊りワイヤを吊り下げることにより、吊りホルダが掛け吊りワイヤを介してメインフックに懸垂されているとともに、クレーンからの吊りワイヤで吊り下げられたサブフックに締め付けリングが懸垂ワイヤにより懸垂されている。
【００１５】
吊りホルダに保持する誘導アームの本数を変えられるように、誘導アームが吊りホルダに着脱可能に保持されている。
【発明の効果】
【００１６】
本発明によれば、下端に向かって放射状に拡がる少なくとも３本の誘導アームを、締め付けリングを移動させてすぼませることにより、これら誘導アームからＵ状に垂らした少なくとも２本の掛け吊りワイヤをブロックに自動的に掛けることができるとともに、その後は、誘導アームを吊り上げるだけでこれと共にブロックを吊り上げることができるので、ブロックへのワイヤ装着の手作業が無くなるとともに、作業員がブロックのそばまで行く必要もなくなる。また、誘導アームからＵ状に垂らした少なくとも２本の掛け吊りワイヤをブロックに掛けるので、吊り上げたときの重量バランスも良く、落下の危険性が従来の比べ格段に少なくなる。
【００１７】
吊りホルダに固定された位置固定部材をブロックに当てて、ブロックに対して誘導アームの位置が固定される状態にすれば、ブロックに対する掛け吊りワイヤの位置も必然的に決まるので、掛け吊りワイヤをブロックに容易に掛けることができる。
【００１８】
掛け吊りワイヤをスプリングを介して誘導アームの下端部に支持すると、掛け吊りワイヤに掛かる力をスプリングにより分散できるとともに、掛け吊りワイヤに適度の張力を与えてブロックに締め付けることができるので、ブロックに掛けた後の離脱を防止できる。
【００１９】
掛け吊りワイヤが誘導アームに沿って配線されて吊りホルダに固定されていると、掛け吊りワイヤのＵ状の大きさや長さなどを調整できる。
【００２０】
クレーンからの第１の吊りワイヤで吊り下げられた吊りフックに、吊りホルダが掛け吊りワイヤを介して懸垂されているとともに、クレーンからの第２の吊りワイヤで吊り下げられて第１の吊りワイヤに沿って移動する滑車に、締め付けリングが懸垂ワイヤにより懸垂されていると、クレーンからの吊りワイヤを操作することで、誘導アームをすぼませて掛け吊りワイヤをブロックに自動的に掛けることができるとともに、ブロックの吊り上げを容易に行うことができる。
【発明を実施するための最良の形態】
【００２１】
次に、本発明の実施例を図面に基づいて詳細に説明する。
【実施例】
【００２２】
図５及び図６に、本発明によるブロック吊り上げ装置１の全体を示し、その全体を、図示しないクレーンからの第１と第２の２本の吊りワイヤ２・３により吊り下げて使用するようになっている。
【００２３】
このブロック吊り上げ装置１は、第１の吊りワイヤ２の下端の吊りフック４に懸垂されたリング状の吊りホルダ５と、この吊りホルダ５に垂設された位置固定部材６と、この吊りホルダ５の内周面に上端部を固定して垂設され、位置固定部材６の周囲で下端に向かって放射状に拡がる弾性を有する３本以上の誘導アーム７と、これら誘導アーム７に沿って配線されて誘導アーム７の下端部からＵ状に垂らされた少なくとも２本の掛け吊りワイヤ８と、第２の吊りワイヤ３の下端の滑車９から懸垂され、全ての誘導アーム７を貫通させることができる内径のリングである締め付けリング１０とで構成される。
【００２４】
この締め付けリング１０は、その少なくとも３箇所に接続した複数本の懸垂ワイヤ１１により滑車９に懸垂されているが、吊りホルダ５は、掛け吊りワイヤ８をそのまま用いて吊りフック４に懸垂されている。
【００２５】
すなわち、図７及び図８に示すように、各掛け吊りワイヤ８は、各２本の誘導アーム７の下端間に渡るように、２本の誘導アーム７の下端部からＵ状に垂下されているとともに、これら２本の誘導アーム７の内側面に沿うようにＵ形の配線止め１２で止めて配線されている。その際、掛け吊りワイヤ８は、誘導アーム７に対して主に水平方向の弾性を与えるために、誘導アーム７の下端部では、スプリング１３を介して支持されている。そして、掛け吊りワイヤ８の中途は、これを配線した誘導アーム７の上端部と共に吊りホルダ５の内面に、例えば図９に示すようなＵ形ボルト１４を用いたボルト締めにより着脱可能に固定され、そこから更に吊りホルダ５を上方へ越えて延びて吊りフック４に掛け吊りされている。
【００２６】
なお、吊りホルダ５を吊りフック４に懸垂するに当たり、掛け吊りワイヤ８をそのまま用いないで、図１１に示すように、別の懸垂ワイヤ１５を用いて懸垂してもよい。
【００２７】
誘導アーム７は、長さが足りなくなった場合には、その継ぎ足しが可能となっている。また、スプリング１３は、誘導アーム７に対する上下方向の取り付け位置を調整できるようになっている。
【００２８】
吊りホルダ５には、最少で３本の誘導アーム７を垂設するが、４本以上の誘導アーム７を垂設することができるように、すなわち、その垂設本数を変えることができるように、吊りホルダ５には、誘導アーム７の上端部をボルト締めする予備のボルト締め部分が用意されている。図１０は、６本の誘導アーム７を垂設して、そのうちの２本ずつから掛け吊りワイヤ８をＵ状に垂らし、合計３本の掛け吊りワイヤ８を３方向からブロックに掛けて吊り上げる使用形態としたときの平面図である。
【００２９】
位置固定部材６は、図５及び図７に示すように、複数本の垂下杆６ａの下端に当板６ｂを固着したもので、これら垂下杆６ａの上端部をリング状の吊りホルダ５の内面にボルト締めにより固定して吊りホルダ５に垂設されている。その際、当板６ｂの高さを調整できるように、垂下杆６ａには、図７〜図９に示すようにボルト締めのための止め孔１６が多段に設けられている。当板６ｂの下面に、ゴムや皮革等による保護パッドを付設すると良い。
【００３０】
個々の誘導アーム７は板バネ状で、吊りホルダ５に固定された上端部から緩やかに湾曲しながら垂下し、誘導アーム７全体としては、締め付けリング１０をそのまま下方へと貫通した後、下端に向かって湾曲しながら互いに放射状に拡がり、その拡がった最大外径は、締め付けリング１０の外径よりもはるかに大きくなっている。
【００３１】
締め付けリング１０の内周面１０ａは、誘導アーム７との摩擦を少なくするため円弧断面となっており、締め付けリング１０を下方へ移動させると、放射状に拡がっている誘導アーム７が締め付けリング１０の移動に応じて徐々にすぼまるようになっている。締め付けリング１０の上下の移動は、図５及び図６において第２の吊りワイヤ３を操作して行うもので、その際、吊りワイヤ３の下端の滑車９は第１の吊りワイヤ２に沿って上下動する。
【００３２】
次に、図４に示すような消波ブロックＢ１を吊り上げる場合の使用例について説明する。この場合、誘導アーム７の垂設本数は６本で、そのうちの２本ずつから掛け吊りワイヤ８をＵ状に垂らして、掛け吊りワイヤ８の本数を３本とする。
【００３３】
図１２に示すように、クレーンを操作してブロック吊り上げ装置１を消波ブロックＢ１の真上に位置させたら、第１の吊りワイヤ２を操作して吊りホルダ５と共に位置固定部材６を下降させ、その下端の当板６ｂを消波ブロックＢ１に当てる。これにより、消波ブロックＢ１に対する誘導アーム７の高さが固定され、それぞれ２本の誘導アーム７からＵ状に垂らされた３本の掛け吊りワイヤ８が、消波ブロックＢ１の３本の脚部のそれぞれに対応位置する。
【００３４】
この状態で、図１４に示すように、第２の吊りワイヤ３を操作して締め付けリング１０を下降させると、６本の誘導アーム７がすぼんでそれらの下端が互いに接近することにより、図１５及び図１６に示すように、Ｕ状に垂らした３本の掛け吊りワイヤ８が、消波ブロックＢ１の３本の脚部のそれぞれの周りへ移動する。
【００３５】
図１７に示すように、第１の吊りワイヤ２を引き上げて、その下端の吊りフック４と共に吊りホルダ５及び６本の誘導アーム７を上昇させて行くと、６本の誘導アーム７が更にしぼむとともに、Ｕ状に垂らした３本の掛け吊りワイヤ８も上昇するため、これらが消波ブロックＢ１の３本の脚部のそれぞれに締め付いた状態となる。図１８はこの状態の平面図である。
【００３６】
この状態で、図１９に示すように、第１及び第２の吊りワイヤ２・３を共に引き上げると、消波ブロックＢ１は、その３本の脚部に３本の掛け吊りワイヤ８を締め付けた安定した状態で吊り上げられる。
【００３７】
図１２及び図１３に示したように、誘導アーム７の垂設本数を６本として、そのうちの２本ずつから掛け吊りワイヤ８をＵ状に垂らして、掛け吊りワイヤ８の本数を３本とした場合には、図２０に示すように、テトラホッド（登録商標）と言われている４脚の消波ブロックＢ２に対しても、その３本の脚部の先端に掛け吊りワイヤ８を掛けた状態で吊り上げることができる。また、図２１に示すように、同様の消波ブロックＢ２を逆さにした状態で、その３本の脚部の外周に３本の掛け吊りワイヤ８を締め付けた状態で吊り上げることもできる。
【００３８】
さらに、吊りホルダ５に垂設できる誘導アーム７の本数は、上述のように任意に変えられるので、種々の形状のブロックに適応できる。
なお、本発明は、消波ブロックに限らず、護岸ブロック等の他の用途のブロックにも適用できることは勿論である。
【図面の簡単な説明】
【００３９】
【図１】４脚の消波ブロックを吊り上げる従来の一例を示す正面図である。
【図２】他の従来例を示す正面図である。
【図３】特許文献１に記載されている方法を示す斜視図である。
【図４】６脚の消波ブロックの斜視図である。
【図５】本発明の一例であるブロック吊り上げ装置の全体斜視図である。
【図６】同じく正面図である。
【図７】その要部の断面図である。
【図８】その一部分の拡大断面図である。
【図９】一部分の破断した斜視図である。
【図１０】全体平面図である。
【図１１】吊りホルダを懸垂する変形例の拡大断面図である。
【図１２】本例のブロック吊り上げ装置を用いて図４の消波ブロックを吊り上げる手順を示し、掛け吊りワイヤを消波ブロックの脚部に掛ける前の状態の正面図である。
【図１３】その平面図である。
【図１４】誘導アームをすぼませて掛け吊りワイヤを消波ブロックの脚部の周りまで移動させた状態の正面図である。
【図１５】誘導アームを更にすぼませて掛け吊りワイヤを消波ブロックの脚部に掛けた状態の正面図である。
【図１６】その平面図である。
【図１７】消波ブロックの脚部に掛け吊りワイヤを締め付けた状態の正面図である。
【図１８】その平面図である。
【図１９】消波ブロックを吊り上げた状態の正面図である。
【図２０】本例のブロック吊り上げ装置で４脚の消波ブロックを吊り上げる場合の正面図である。
【図２１】４脚の消波ブロックを逆さにして吊り上げる場合の正面図である。
【符号の説明】
【００４０】
Ｂ１・Ｂ２  消波ブロック
１  ブロック吊り上げ装置
２・３  吊りワイヤ
４  吊りフック
５  吊りホルダ
６  位置固定部材
６ａ  垂下杆
６ｂ  当板
７  誘導アーム
８  掛け吊りワイヤ
９  滑車
１０  締め付けリング
１１  懸垂ワイヤ
１２  配線止め
１３  スプリング
１４  Ｕ形ボルト
１５  懸垂ワイヤ
１６  止め孔
【図１】
2007070083.tif 000003
【図２】
2007070083.tif 000004
【図３】
2007070083.tif 000005
【図４】
2007070083.tif 000006
【図５】
2007070083.tif 000007
【図６】
2007070083.tif 000008
【図７】
2007070083.tif 000009
【図８】
2007070083.tif 000010
【図９】
2007070083.tif 000011
【図１０】
2007070083.tif 000012
【図１１】
2007070083.tif 000013
【図１２】
2007070083.tif 000014
【図１３】
2007070083.tif 000015
【図１４】
2007070083.tif 000016
【図１５】
2007070083.tif 000017
【図１６】
2007070083.tif 000018
【図１７】
2007070083.tif 000019
【図１８】
2007070083.tif 000020
【図１９】
2007070083.tif 000021
【図２０】
2007070083.tif 000022
【図２１】
2007070083.tif 000023